(57)【要約】【課題】花器に３Ｄ（三次元立体）の縁取りを実現するフレームを取り付けることにより、花器に植栽された花に立体的、幻想的な雰囲気を醸し、鑑賞者の注意を喚起することができる３Ｄフレーム付き花器を提供する。【解決手段】僅かな厚みを有する板状あるいはシート状の透明枠体と、該透明枠体の一側面に細かな規則性をもって線や点として描かれ又は形成される第１模様と、上記透明枠体の他側面に細かな規則性をもって線や点として描かれ又は形成されると共に、上記第１模様と同じ或いは僅かに変化する第２模様から構成される３Ｄフレームを、花器に取り付ける。【選択図】  図１
2005296319.tif 000002
【特許請求の範囲】
【請求項１】
３Ｄ（三次元立体）の縁取りを実現する３Ｄフレームを花器に取り付けたことを特徴とする３Ｄフレーム付き花器。
【請求項２】
上記３Ｄフレームが、僅かな厚みを有する板状あるいはシート状の透明枠体と、該透明枠体の一側面に細かな規則性をもって線や点として描かれ又は形成される第１模様と、上記透明枠体の他側面に細かな規則性をもって線や点として描かれ又は形成されると共に、上記第１模様と同じ或いは僅かに変化する第２模様から構成されることを特徴とする請求項１に記載の３Ｄフレーム付き花器。
【請求項３】
上記３Ｄフレームを花器に着脱自在に取り付けることを特徴とする請求項１または２に記載の３Ｄフレーム付き花器。
【発明の詳細な説明】
【技術分野】
【０００１】
本発明は、３Ｄフレーム付き花器、すなわち３Ｄ（三次元立体）の縁取りを実現するための３Ｄフレームが装備された花器に関するものである。
【背景技術】
【０００２】
従来のフレーム付き花器としては、図５に示すように、小枝によりスタンドＳを構成して、その上に花瓶Ｔを載置すると共に、その後ろに無地の布地からなる背板Ｕを配置し、該背板Ｕの周縁部を木枠からなるフレームＷで縁取りした花器があった。
また従来、図６に示すように、花器Ｋにリング状のフレームＨを取り付けて、花Ｆの周囲を飾るようにしたものもあった。
【０００３】
しかしながら、上記従来のフレーム付き花器は、いずれもフレームを単なる額縁に見立てたものに過ぎなかった。
【発明の開示】
【発明が解決しようとする課題】
【０００４】
本発明が解決しようとする課題は、花器に３Ｄ（三次元立体）の縁取りを実現するフレームを取り付けることにより、花器に植栽された花に立体的、幻想的な雰囲気を醸し、鑑賞者の注意を喚起することができる３Ｄフレーム付き花器を提供することにある。
【課題を解決するための手段】
【０００５】
本発明の３Ｄフレーム付き花器は、３Ｄ（三次元立体）の縁取りを実現する３Ｄフレームを花器に取り付けたことを特徴とする。また、上記３Ｄフレームが、僅かな厚みを有する板状あるいはシート状の透明枠体と、該透明枠体の一側面に細かな規則性をもって線や点として描かれ又は形成される第１模様と、上記透明枠体の他側面に細かな規則性をもって線や点として描かれ又は形成されると共に、上記第１模様と同じ或いは僅かに変化する第２模様から構成されることを特徴とする。さらに、上記３Ｄフレームを花器に着脱自在に取り付けることを特徴とする。
【発明の効果】
【０００６】
本発明の花器は、これに取り付けた３Ｄフレームによる立体的な縁取りにより、花器に植設された生け花や造花などが、この立体的な縁取りに取り囲まれた幻想的な雰囲気を醸し出すことができ、鑑賞者の注意を喚起することができる。また、ショーウインドに置いて人目を引く効果もある。
【発明を実施するための最良の形態】
【０００７】
図１は、本発明装置の一実施例の説明図であって、１は３Ｄフレームであって、透明枠体１ａ、第１模様１ｂ、第２模様１ｃから構成される。
【０００８】
上記透明枠体１ａは、無色あるいは薄い有色の透明性合成樹脂板あるいは透明ガラス板から成る。合成樹脂素材としては、アクリル系、ポリカーボネート系、ポリプロピレン系、ポリエステル系、ポリ塩化ビニル系などいずれでもよい。また、上記透明枠体１の板厚は０．２〜１５ｍｍ程度で、硬質あるいは軟質（シート状）のいずれでもよい。
【０００９】
上記第１模様１ｂは上記透明枠体１ａの一側面に施されている。模様の形態としては、細かな規則性（繰り返しやピッチ）を有する点や線を描くか凹凸で形成するのが好ましい。すなわち、多数の直線や曲線を０．２〜数ｍｍピッチで平行にならべて印刷等で描くか、あるいは溝状または突状に刻設するか、盛り上がるように印刷等で形成する。この線に代えて点を線状に配列して描いてもよい。また、線と点を混在させてもよい。なお、印刷用塗料として蓄光塗料を用いてもよい。
【００１０】
上記第２模様１ｃは上記透明枠体１ａの他側面に施されている。この模様の形態としては、上記第１模様１ｂの形態と同じ或いは僅かに変化させたもので、しかも、この第１模様１ｂに対して僅かにずらせて施される。
【００１１】
２は生花や造花を生けるための花器であって、その素材や大きさ・形状などは、上記３Ｄフレーム１を安定して取り付けられるものであれば、従来公知のいずれの花器であってもよい。
【００１２】
本実施例の花器２の周縁部の２個所には、取付溝２ａが形成されていて、上記３Ｄフレーム１の下端部が嵌合して取り付け固定されるようになっている。（図２を参照）
【００１３】
本実施例の３Ｄフレーム付き花器は、以上のように構成されているので、図２に示すように、上記３Ｄフレーム１の透明枠体１ａの表面に施された第１模様１ｂと第２模様１ｃによりモアレ模様Ｍが手前に飛び出す状態で見える。このモアレ模様Ｍと上記第１及び第２模様１ｂ、１ｃの相乗効果によりフレームに立体感が生じ、この立体感により３Ｄフレーム１の中に位置する生花や造花などの花Ｆが、フレームの中に入っているような状態で幻想的に視認される、花の美的効果が増す。
【００１４】
図３は、上記３Ｄフレーム１を上記花器２に取り付ける別の実施例を示すもので、花器２内に取付部材２ｂを設けて、これに３Ｄフレーム１を差し込み取り付けるようになっている。
【００１５】
図４は、上記３Ｄフレーム１を上記花器２に取り付ける更に別の実施例を示すもので、花器２の縁部に取付部材２ｃを設けて、これに３Ｄフレーム１を差し込み取り付けるようになっている。
【００１６】
上記実施例では、３Ｄフレーム１を着脱自在に取り付け固定するようになっているが、一体的に固定させてもよい。また、上記実施例では、３Ｄフレーム１を花Ｆの後ろに位置させたが、３Ｄフレーム１が花Ｆの手前に位置するように取り付けてもよい。
【図面の簡単な説明】
【００１７】
【図１】本発明の３Ｄフレーム付き花器の一実施例を示す説明図である。
【図２】図１の実施例の作用の説明図である。
【図３】本発明の３Ｄフレーム付き花器の別の実施例を示す説明図である。
【図４】本発明の３Ｄフレーム付き花器の更に別の実施例を示す説明図である。
【図５】従来の額縁付き花器の説明図である。
【図６】従来の別の額縁付き花器の説明図である。
【符号の説明】
【００１８】
１    ３Ｄフレーム
１ａ  透明枠体
１ｂ  第１模様
１ｃ  第２模様
２    花器
２ａ  取付溝
２ｂ  取付部材
２ｃ  取付部材
Ｆ    花
Ｈ    フレーム
Ｍ    モアレ模様
Ｓ    スタンド
Ｔ    花瓶
Ｕ    背板
Ｗ    フレーム
【図１】
2005296319.tif 000003
【図２】
2005296319.tif 000004
【図３】
2005296319.tif 000005
【図４】
2005296319.tif 000006
【図５】
2005296319.tif 000007
【図６】
2005296319.tif 000008